(57)【要約】【課題】  外枠にアタッチメントを介して障子を取付けた建具の防火性能の向上。【解決手段】  外枠１と、金属製の補助アタッチメント２と、金属製のアタッチメント３とを備え、補助アタッチメント２は、外枠１のパネル取付溝４を塞いでいるとともに、内周側に突出する突片５ａ，５ｂを有し、アタッチメント３は、外枠１に障子６を取付けるために外枠１の内周側に補助アタッチメント２を覆って取付けてあり、アタッチメント３の見付壁７に補助アタッチメント２の突片５ａ，５ｂが重合している。【選択図】      図１
2020097855.tif 000002
【特許請求の範囲】
【請求項１】
外枠と、金属製の補助アタッチメントと、金属製のアタッチメントとを備え、補助アタッチメントは、外枠のパネル取付溝を塞いでいるとともに、内周側に突出する突片を有し、アタッチメントは、外枠に障子を取付けるために外枠の内周側に補助アタッチメントを覆って取付けてあり、アタッチメントの見付壁に補助アタッチメントの突片が重合していることを特徴とする建具。
【発明の詳細な説明】
【技術分野】
【０００１】
本発明は、防火性能を有する建具に関する。
【背景技術】
【０００２】
従来より、店舗等建物のフロントに用いられる建具においては、パネル取付溝を有する外枠の内周側にアタッチメントを取付け、アタッチメントを介して障子を取付けたものが知られている（例えば、非特許文献１参照。）。かかる建具においては、火災時にアタッチメントが火災の熱で変形して外枠との間に隙間が生じ、火炎や煙が連通するおそれがあった。
【先行技術文献】
【非特許文献】
【０００３】
【非特許文献１】三協立山株式会社 三協アルミ社発行のカタログ「ＳＴフロント 総合カタログ」（カタログＮｏ．ＳＴＢ０４９９Ａ  ＫＹ．１６．０８−０４０）、２０１６年８月、ｐ．２２０−２２１
【発明の概要】
【発明が解決しようとする課題】
【０００４】
本発明は以上に述べた実情に鑑み、外枠にアタッチメントを介して障子を取付けた建具の防火性能の向上を目的とする。
【課題を解決するための手段】
【０００５】
上記の課題を達成するために請求項１記載の発明による建具は、外枠と、金属製の補助アタッチメントと、金属製のアタッチメントとを備え、補助アタッチメントは、外枠のパネル取付溝を塞いでいるとともに、内周側に突出する突片を有し、アタッチメントは、外枠に障子を取付けるために外枠の内周側に補助アタッチメントを覆って取付けてあり、アタッチメントの見付壁に補助アタッチメントの突片が重合していることを特徴とする。
【発明の効果】
【０００６】
請求項１記載の発明による建具は、外枠と、金属製の補助アタッチメントと、金属製のアタッチメントとを備え、補助アタッチメントは、外枠のパネル取付溝を塞いでいるとともに、内周側に突出する突片を有し、アタッチメントは、外枠に障子を取付けるために外枠の内周側に補助アタッチメントを覆って取付けてあり、アタッチメントの見付壁に補助アタッチメントの突片が重合していることで、火災時にアタッチメントが火災の熱で変形し、アタッチメントの見付壁と外枠との間に隙間が生じたとしても、補助アタッチメントの突片により火炎や煙の連通を防ぐことができるので、防火性能が向上する。
【図面の簡単な説明】
【０００７】
【図１】図４のＡ−Ａ断面図である。
【図２】図４のＢ−Ｂ断面図である。
【図３】図４のＣ−Ｃ断面図である。
【図４】本発明の建具の第１実施形態を示す室内側正面図である。
【図５】同建具の障子を開けた状態の縦断面図である。
【図６】同建具の火災時における縦枠部の横断面図である。
【図７】本発明の建具の第２実施形態を示す排煙窓部の横断面図である。
【図８】同建具の縦断面図である。
【図９】同建具の火災時における縦枠部の横断面図である。
【発明を実施するための形態】
【０００８】
以下、本発明の実施の形態を図面に基づいて説明する。図１〜５は、本発明の建具の第１実施形態であって、店舗のフロント用の建具に適用したものを示している。本建具は、建物の躯体に形成された開口部に設置されるものであって、図４に示すように、上枠８と下枠９と左右の縦枠１，１とを枠組みして矩形の枠１０が形成され、左右の縦枠１，１の上枠８寄りの位置に無目１１を架設して枠１０内を上下に仕切ってあり、無目１１の下側の開口部にはガラス１２を嵌め込んで嵌め殺し窓が構成され、無目１１の上側の開口部には障子６を嵌め込んで排煙窓が構成されている。
【０００９】
左右の縦枠１は、図２に示すように、見込壁１３の室内外方向中間部に外周側に凹む形でパネル取付溝４を全長に有しており、無目１１より下側においては、そのパネル取付溝４にガラス１２の縁部を挿入し、耐火性のシール材１４によりガラス１２をパネル取付溝４に固定してある。
図３に示すように、無目１１の下面と下枠９の上面にも縦枠１と同様にパネル取付溝４が設けてあり、パネル取付溝４にガラス１２の縁部を挿入して耐火性のシール材１４により固定してある。
【００１０】
無目１１よりも上側においては、図１に示すように、縦枠１のパネル取付溝４は補助アタッチメント２を取付けることで塞いである。補助アタッチメント２は、アルミ形材で形成したものであって、縦枠１のパネル取付溝４に挿入・係止される一対の脚片１５，１５と、パネル取付溝４の開口部を塞ぐ溝塞ぎ部１６と、縦枠１の見込壁１３の内周側面に当接する当接部１７と、パネル取付溝４の室内側及び室外側において内周側に向けて突出する二つの突片５ａ，５ｂを有している。
【００１１】
さらに、無目１１よりも上側においては、図１，５に示すように、縦枠１に障子６を取付けるためにアタッチメント３が、縦枠１の内周側に補助アタッチメント２を覆って取付けてある。アタッチメント３は、アルミ形材で形成したものであり、室内側端部に設けた見付壁７と、見込壁１９と、補助アタッチメント４の室外側の突片５ｂの室外側と室外側端部とに外周側に突出する突壁（見付壁）２０ａ，２０ｂを有している。見付壁７は、外周側端が縦枠１の内周側面に当接しており、内周側端部には室外側に向けてタイト材２１が取付けてあり、タイト材２１が障子６の室内側面に当接している。見付壁７の見込壁１９より外周側の部分は、補助アタッチメント２の突片５ａの室内側に重合している。突壁２０ａ，２０ｂは、外周側端が縦枠１の内周側面に当接しており、室外側端部の突壁２０ｂには外周側端部にタイト材２２が保持してあって、タイト材２２が縦枠１の内周側面に圧接している。突壁（見付壁）２０ａは、補助アタッチメント２の突片５ｂの室外側に重合している。アタッチメント３は、図１に示すように、室内外方向に間隔をあけて内周側から挿入したネジ２３ａ，２３ｂで縦枠１に取付けてある。室外側のネジ２３ｂは、縦枠１の見込壁１３に螺入し、室内側のネジ２３ａは、補助アタッチメント２の溝塞ぎ部１６に螺入している。室外側及び室内側のネジ２３ａ，２３ｂは、図５に示すように、それぞれ上下方向に間隔をおいて複数設けてある。室内側のネジ２３ａは、後述するダンパー２４のブラケット２５の上下にも位置している。
【００１２】
上枠８は、図３に示すように、パネル取付溝４を有しない一体成形の枠材となっており、室内側に見付壁３６を一体に有し、見付壁３６の下端部にタイト材２１が室外側に向けて取付けてあり、タイト材２１が障子６の室内側面に当接している。
無目１１は、下面側にのみパネル取付溝４を有する一体成形の枠材となっており、室内側に内周側に突出する中空状の突部３７を一体に有し、突部３７の上端部にタイト材２１が室外側に向けて取付けてあり、タイト材２１が障子６の室内側面に当接している。
【００１３】
障子６は、図１，３，４に示すように、上框２６と下框２７と左右の縦框２８，２８とを四周框組みし、各框２６，２７，２８の内周側に形成された溝２９内にガラス３０の周縁部を嵌め込んで固定したものとなっている。障子６は、図３に示すように、下框２７が無目１１に蝶番３１で連結され、図５に示すように、外倒し式に開くようになっている。図１，４，５に示すように、縦枠１と縦框２８の間には、障子６を突き出すためのダンパー２４が設置してある。ダンパー２４は、一端部がブラケット２５を介して縦枠１のアタッチメント３に取付けてあり、他端部がブラケット３２を介して縦框２８の外周側面に取付けてある。また、図３に示すように、上枠８には障子６を施錠するためのラッチ３３が取付けてあり、上框２６にはラッチ３３の爪が係合するラッチ受け３４が取付けてある。
【００１４】
火災が発生すると、縦枠１のアタッチメント３は熱せられた側（室内側又は室外側）に膨らむように反りが生ずる。アタッチメント３は、室内側に見付壁７を有しているため、特に室内側から熱せられたときに反りが大きく、アタッチメント３が反ることで、図６に示すように、アタッチメント３の見付壁７と縦枠１の内周側面との間に隙間３５が生ずることがある。本建具は、アタッチメント３の見付壁７の室内側に補助アタッチメント２の突片５ａが重合していることで、そのようにアタッチメント３の見付壁７と縦枠１の内周側面との間に隙間３５が生じても、補助アタッチメント３の突片５ａにより火炎や煙の連通を阻止できる。補助アタッチメント３には、突片５ａ，５ｂが室内側と室外側の２箇所に設けてあるので、万が一室内側の突片５ａを越えて火炎や煙が侵入しても、室外側の突片５ｂで火炎や煙の連通を阻止できる。さらに、補助アタッチメント２の室外側の突片５ｂを越えて火炎や煙が侵入しても、アタッチメント３の突壁２０ａ，２０ｂにより火炎や煙の連通を阻止できる。室外側で火災が発生した場合も、室内外方向に重合して設けた補助アタッチメント２の突片５ａ，５ｂとアタッチメント３の突壁２０ａ，２０ｂにより、火炎や煙の連通を防止できる。
【００１５】
以上に述べたように本建具は、外枠（縦枠）１と、金属製の補助アタッチメント２と、金属製のアタッチメント３とを備え、補助アタッチメント２は、外枠１のパネル取付溝４を塞いでいるとともに、内周側に突出する突片５ａ，５ｂを有し、アタッチメント３は、外枠１に障子６を取付けるために外枠１の内周側に補助アタッチメント２を覆って取付けてあり、アタッチメント３の見付壁７に補助アタッチメント２の突片５ａ，５ｂが重合していることで、火災時にアタッチメント３が火災の熱で変形し、アタッチメント３の見付壁７と外枠１との間に隙間３５が生じたとしても、補助アタッチメント２の突片５ａ，５ｂにより火炎や煙の連通を防ぐことができるので、防火性能が向上する。
本建具は、アタッチメント３の見付壁７と補助アタッチメント２の突片５ａ，５ｂが重合していることで、火災時に貫通孔ができることを防止できる。
また本建具は、外枠１のパネル取付溝４に補助アタッチメント２を取付けてパネル取付溝４を塞いであることで、パネル取付溝４の位置でもアタッチメント３をネジ止めできるので、アタッチメント３を強固にネジ止めすることができ、火災時にアタッチメント３が反りにくくなる。
補助アタッチメント２は、突片５ａ，５ｂが室内側と室外側に設けてあるので、一方の突片５ａを越えて火炎や煙が侵入しても、もう一方の突片５ｂで火炎や煙の連通を防ぐことができる。
本建具は、外枠１のパネル取付溝４に補助アタッチメント２を取付けることで、パネル取付溝４を活かして防火性能を向上させることができる。
本建具は、ダンパー２４のブラケット２５の上下でアタッチメント３をネジ止めできるので、ダンパー２４に作用する力をアタッチメント３から外枠１に効率よく伝達できる。
【００１６】
図７，８は、本発明の建具の第２実施形態を示している。縦枠１は、図７に示すように、第１実施形態と同様に、パネル取付溝４に補助アタッチメント２が取付けてあり、補助アタッチメント２を覆って縦枠１の内周側にアタッチメント３が取付けてある。補助アタッチメント２の溝塞ぎ部１６の内周側面には、火災の熱により発泡・膨張する加熱発泡材１８が、長手方向に沿って設けてある。
【００１７】
上枠８は、図８に示すように、縦枠１と同様に内周側面にパネル取付溝４を有し、パネル取付溝４は補助アタッチメント２を取付けて塞いである。さらに上枠８は、内周側に補助アタッチメント２を覆ってアタッチメント３８がネジ３９で取付けてある。アタッチメント３８は、室内側端部と障子６の室内側とに見付壁４０ａ，４０ｂを有し、見付壁４０ａの上端が上枠（外枠）８の内周側面に当接し、見付壁４０ｂの下端部に室外側に向けてタイト材２１が取付けてあり、タイト材２１が障子６の室内側面に当接している。縦枠１と同様に、上枠８の補助アタッチメント２とアタッチメント３８の間に加熱発泡材１８を設けることもできる。
無目１１は、上面にアタッチメント４１をネジ４２で取付け、アタッチメント４１を介して障子６を取付けている。
【００１８】
図９は、本建具の火災時における縦枠部の状態を示しており、アタッチメント３が火災の熱で変形し、アタッチメント３の見付壁７と縦枠１の内周側面との間に隙間３５が生じたときに、補助アタッチメント３の突片５ａ，５ｂにより火炎や煙の連通を阻止できることに加え、補助アタッチメント２とアタッチメント３の間に加熱発泡材１８が設けてあることで、火災時に発泡した加熱発泡材１８によっても火炎や煙の連通を防止でき、防火性能が一層高められる。
本建具は、上枠８に縦枠１と同じ外枠を用いることで、専用の上枠を製作する必要がないので、コストを抑えられる。また上枠８は、縦枠１と同様に、パネル取付溝４が補助アタッチメント２で塞いであり、補助アタッチメント２にアタッチメント３８の見付壁４０ａと重合する突片５ａ，５ｂを有しているので、アタッチメント３８が火災の熱で変形し、アタッチメント３８の見付壁４０ａと外枠（上枠）８との間に隙間が生じたとしても、補助アタッチメント２の突片５ａ，５ｂにより火炎や煙の連通を防ぐことができる。
【００１９】
本発明は以上に述べた実施形態に限定されない。補助アタッチメント、アタッチメントの断面形状、材質は、適宜変更することができる。障子の開き方は任意である。補助アタッチメントの突片は、室内側または室外側に一つだけ設けてあってもよい。本発明は、店舗等のフロントに限らず、住宅用、ビル用などのあらゆる建具に適用することができる。
【符号の説明】
【００２０】
１  縦枠（外枠）
２  補助アタッチメント
３  アタッチメント
４  パネル取付溝
５ａ，５ｂ  突片
６  障子
７  見付壁
【図１】
2020097855.tif 000003
【図２】
2020097855.tif 000004
【図３】
2020097855.tif 000005
【図４】
2020097855.tif 000006
【図５】
2020097855.tif 000007
【図６】
2020097855.tif 000008
【図７】
2020097855.tif 000009
【図８】
2020097855.tif 000010
【図９】
2020097855.tif 000011